【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
無線通信システムにおいて休止状態の目標の通信デバイスと情報を交換する方法であって、
無線インフラストラクチャによってページメッセージを休止状態の目標の通信デバイスへ送って、休止状態の目標の通信デバイスの位置を特定することと、
休止状態の目標の通信デバイスからページ応答を受信することと、
無線インフラストラクチャによって休止状態の目標の通信デバイスへ情報を送付し、情報が、ページ応答の受信を肯定応答するメッセージ上にピギーバックされることと、
休止状態の目標の通信デバイスへ解放命令を送付し、解放命令が、休止状態の目標の通信デバイス上のタイマを取り消すように実施可能であり、それによって、休止状態の目標の通信デバイスが、無線インフラストラクチャへ情報をショートデータバースフォーマットで送付し始めることができるようにすることとを含む方法。
【請求項２】
ページメッセージがサービスオプションを含む請求項１記載の方法。
【請求項３】
休止状態の目標の通信デバイスへ情報を前記送付することが、無線ネットワークの通信チャネル上で情報を送付することをさらに含む請求項１記載の方法。
【請求項４】
休止状態の目標の通信デバイスへ情報を前記送付することが、情報をショートデータバーストとして送付することをさらに含む請求項１記載の方法。
【請求項５】
解放命令が、休止状態の目標の通信デバイスをシステムアクセス状態からアイドル状態へ変更させるように実施可能である請求項１記載の方法。
【請求項６】
ショートデータバーストフォーマットのメッセージを、解放命令によって起動させられた休止状態の目標の通信デバイスから受信することをさらに含む請求項１記載の方法。
【請求項７】
ショートデータバーストフォーマットのメッセージが、休止状態の目標の通信デバイスのシステムアクセス状態中に生成される請求項６記載の方法。
【請求項８】
無線通信システムにおいて休止状態の目標の通信デバイスと情報を交換する方法であって、
無線インフラストラクチャによってページメッセージを休止状態の目標の通信デバイスへ送って、休止状態の目標の通信デバイスの位置を特定し、ページメッセージが、休止状態の目標の通信デバイス上のタイマを取り消すように実施可能な所定の構成要素をもち、それによって、休止状態の目標の通信デバイスが、無線インフラストラクチャへ情報をショートデータバースフォーマットで送付し始めることができるようにすることと、
休止状態の目標の通信デバイスからページ応答を受信することと、
無線インフラストラクチャによって休止状態の目標の通信デバイスへ情報を送付し、情報が、ページ応答の受信を肯定応答するメッセージ上にピギーバックされることと、
ページメッセージに基づいて休止状態の目標の通信デバイスから情報をショートデータバーストフォーマットで受信することとを含む方法。
【請求項９】
所定の構成要素が、ショートデータバーストフォーマットと関係付けられたサービスオプションを含む請求項８記載の方法。
【請求項１０】
休止状態の目標の通信デバイスへ情報を前記送付することが、無線ネットワークの共通チャネル上で情報を送付することをさらに含む請求項８記載の方法。
【請求項１１】
休止状態の目標の通信デバイスへ情報を前記送付することが、情報をショートデータバーストとして送付することをさらに含む請求項８記載の方法。
【請求項１２】
ページメッセージが、休止状態の目標の通信デバイスをシステムアクセス状態からアイドル状態へ変更させるように実施可能である請求項８記載の方法。
【請求項１３】
休止状態の目標の通信デバイスから情報をショートデータバーストフォーマットで受信することが、無線インフラストラクチャによって送付された情報の休止状態の目標の通信デバイスによる受信を肯定応答するメッセージとピギーバックされたショートデータバーストフォーマットのメッセージを受信することをさらに含む請求項８記載の方法。
【請求項１４】
休止状態の目標の通信デバイスからショートデータバーストフォーマットで受信される情報が、休止状態の目標の通信デバイスのシステムアクセス状態中に生成される請求項８記載の方法。
【請求項１５】
無線通信システムにおいて休止状態の目標の通信デバイスと情報を交換する方法を行うためのプログラムコードを記憶するコンピュータ読み出し可能媒体であって、方法が、
無線インフラストラクチャによってページメッセージを休止状態の目標の通信デバイスへ送って、休止状態の目標の通信デバイスの位置を特定することと、
休止状態の目標の通信デバイスからページ応答を受信することと、
無線インフラストラクチャによって休止状態の目標の通信デバイスへ情報を送付し、情報が、ページ応答の受信を肯定応答するメッセージ上にピギーバックされることと、
休止状態の目標の通信デバイスへ解放命令を送付し、解放命令が、休止状態の目標の通信デバイス上のタイマを取り消すように実施可能であり、それによって、休止状態の目標の通信デバイスが、無線インフラストラクチャへ情報をショートデータバースフォーマットで送付し始めることができるようにすることとを含むコンピュータ読み出し可能媒体。
【請求項１６】
無線通信システムにおいて休止状態の目標の通信デバイスと情報を交換する方法を行うためのプログラムコードを記憶するコンピュータ読み出し可能媒体であって、方法が、
無線インフラストラクチャによってページメッセージを休止状態の目標の通信デバイスへ送って、休止状態の目標の通信デバイスの位置を特定し、ページメッセージが、休止状態の目標の通信デバイス上のタイマを取り消すように実施可能な所定の構成要素をもち、それによって、休止状態の目標の通信デバイスが、無線インフラストラクチャへ情報をショートデータバースフォーマットで送付し始めることができるようにすることと、
休止状態の目標の通信デバイスからページ応答を受信することと、
無線インフラストラクチャによって休止状態の目標の通信デバイスへ情報を送付し、情報が、ページ応答の受信を肯定応答するメッセージ上にピギーバックされることと、
ページメッセージに基づいて休止状態の目標の通信デバイスから情報をショートデータバーストフォーマットで受信することとを含むコンピュータ読み出し可能媒体。
【請求項１７】
無線通信システムにおいて休止状態の目標の通信デバイスと情報を交換する装置であって、
無線インフラストラクチャによってページメッセージを休止状態の目標の通信デバイスへ送って、休止状態の目標の通信デバイスの位置を特定する手段と、
休止状態の目標の通信デバイスからページ応答を受信する手段と、
無線インフラストラクチャによって休止状態の目標の通信デバイスへ情報を送付する手段であって、情報が、ページ応答の受信を肯定応答するメッセージ上にピギーバックされる手段と、
休止状態の目標の通信デバイスへ解放命令を送付する手段であって、解放命令が、休止状態の目標の通信デバイス上のタイマを取り消すように実施可能であり、それによって休止状態の目標の通信デバイスが無線インフラストラクチャへ情報をショートデータバースフォーマットで送付し始めることができるようにする手段とを含む装置。
【請求項１８】
無線通信システムにおいて休止状態の目標の通信デバイスと情報を交換する装置であって、
無線インフラストラクチャによってページメッセージを休止状態の目標の通信デバイスへ送って、休止状態の目標の通信デバイスの位置を特定する手段であって、ページメッセージが、休止状態の目標の通信デバイス上のタイマを取り消すように実施可能な所定の構成要素をもち、それによって、休止状態の目標の通信デバイスが、無線インフラストラクチャへ情報をショートデータバースフォーマットで送付し始めることができるようにする手段と、
休止状態の目標の通信デバイスからページ応答を受信する手段と、
無線インフラストラクチャによって休止状態の目標の通信デバイスへ情報を送付する手段であって、情報が、ページ応答の受信を肯定応答するメッセージ上にピギーバックされる手段と、
ページメッセージに基づいて休止状態の目標の通信デバイスから情報をショートデータバーストフォーマットで受信する手段とを含む装置。
【請求項１９】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
ページメッセージを休止状態の目標の通信デバイスへ送って、無線インフラストラクチャによって休止状態の目標の通信デバイスの位置を特定することと、
休止状態の目標の通信デバイスからページ応答を受信することと、
無線インフラストラクチャによって休止状態の目標の通信デバイスへ情報を送付し、情報が、ページ応答の受信を肯定応答するメッセージ上にピギーバックされることと、
休止状態の目標の通信デバイスへ解放命令を送付し、解放命令が、休止状態の目標の通信デバイス上のタイマを取り消すように実施可能であり、それによって休止状態の目標の通信デバイスが無線インフラストラクチャへ情報をショートデータバースフォーマットで送付し始めることができるようにすることとができる装置。
【請求項２０】
解放命令が、休止状態の目標の通信デバイスをシステムアクセス状態からアイドル状態へ変更させるように実施可能である請求項１９記載の装置。
【請求項２１】
プロセッサが、ショートデータバーストフォーマットのメッセージを、解放命令によって起動させられた休止状態の目標の通信デバイスから受信することもできる請求項１９記載の装置。
【請求項２２】
ショートデータバーストフォーマットのメッセージが、休止状態の目標の通信デバイスのシステムアクセス状態中に生成される請求項２１記載の装置。
【請求項２３】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
無線インフラストラクチャによってページメッセージを休止状態の目標の通信デバイスへ送って、休止状態の目標の通信デバイスの位置を特定することであって、ページメッセージが、休止状態の目標の通信デバイス上のタイマを取り消すように実施可能な所定の構成要素をもち、それによって、休止状態の目標の通信デバイスが、無線インフラストラクチャへ情報をショートデータバースフォーマットで送付し始めることができるようにすることと、
休止状態の目標の通信デバイスからページ応答を受信することと、
無線インフラストラクチャによって休止状態の目標の通信デバイスへ情報を送付し、情報が、ページ応答の受信を肯定応答するメッセージ上にピギーバックされることと、
ページメッセージに基づいて情報をショートデータバーストフォーマットで休止状態の目標の通信デバイスから受信することとができる装置。
【請求項２４】
所定の構成要素が、所定のサービスオプション値を含む請求項２３記載の方法。
【請求項２５】
ページメッセージが、休止状態の目標の通信デバイスをシステムアクセス状態からアイドル状態へ変更させるように実施可能である請求項２３記載の方法。
【請求項２６】
休止状態の目標の通信デバイスから情報をショートデータバーストフォーマットで受信することが、無線インフラストラクチャによって送付された情報の休止状態の目標の通信デバイスによる受信を肯定応答するメッセージとピギーバックされたショートデータバーストフォーマットのメッセージを受信することをさらに含む請求項２３記載の装置。
【請求項２７】
休止状態の目標の通信デバイスからショートデータバーストフォーマットで受信される情報が、休止状態の目標の通信デバイスのシステムアクセス状態中に生成される請求項２３記載の装置。
【請求項２８】
無線通信システムにおいて休止状態の目標の通信デバイスと情報を交換する方法であって、
無線インフラストラクチャによってページメッセージを休止状態の目標の通信デバイスへ送って、休止状態の目標の通信デバイスの位置を特定することと、
休止状態の目標の通信デバイスからページ応答を受信することと、
無線インフラストラクチャによって休止状態の目標の通信デバイスへ情報を送付することと、
休止状態の目標の通信デバイスが情報を受信したという肯定応答を受信することと、
休止状態の目標の通信デバイスへ解放命令を送付し、解放命令が、休止状態の目標の通信デバイス上のタイマを取り消すように実施可能であり、それによって、休止状態の目標の通信デバイスが、無線インフラストラクチャへ情報をショートデータバースフォーマットで送付し始めることができるようにし、解放命令が、肯定応答メッセージの受信を肯定応答するメッセージとピギーバックされることとを含む方法。
【請求項２９】
休止状態の目標の通信デバイスへ情報を送付することが、情報を、ページ応答の受信を肯定応答するメッセージとピギーバックすることをさらに含む請求項２８記載の方法。
【請求項３０】
解放命令が、休止状態の目標の通信デバイスをシステムアクセス状態からアイドル状態へ変更させるように実施可能である請求項２８記載の方法。
【請求項３１】
ショートデータバーストフォーマットのメッセージを、解放命令によって起動させられた休止状態の目標の通信デバイスから受信することをさらに含む請求項２８記載の方法。
【請求項３２】
ショートデータバーストフォーマットのメッセージが、休止状態の目標の通信デバイスのシステムアクセス状態中に生成される請求項３１記載の方法。
【請求項３３】
無線通信システムにおいて休止状態の目標の通信デバイスと情報を交換する方法であって、
無線インフラストラクチャによってページメッセージを休止状態の目標の通信デバイスへ送って、休止状態の目標の通信デバイスの位置を特定し、ページメッセージが、休止状態の目標の通信デバイス上のタイマを取り消すように実施可能な所定の構成要素をもち、それによって、休止状態の目標の通信デバイスが、無線インフラストラクチャへ情報をショートデータバースフォーマットで送付し始めることができるようにすることと、
休止状態の目標の通信デバイスからページ応答を受信することと、
無線インフラストラクチャによって休止状態の目標の通信デバイスへ情報を送付することと、
ページメッセージに基づいて休止状態の目標の通信デバイスから情報をショートデータバーストフォーマットで受信することであって、情報が、無線構造によって送られた情報の受信を肯定応答するメッセージとピギーバックされることとを含む方法。
【請求項３４】
所定の構成要素が、所定のサービスオプション値を含む請求項３３記載の方法。
【請求項３５】
ページメッセージが、休止状態の目標の通信デバイスをシステムアクセス状態からアイドル状態へ変更させるように実施可能である請求項３３記載の方法。
【請求項３６】
休止状態の目標の通信デバイスからショートデータバーストフォーマットで受信される情報が、休止状態の目標の通信デバイスのシステムアクセス状態中に生成される請求項３５記載の方法。
【請求項３７】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
無線インフラストラクチャによってページメッセージを休止状態の目標の通信デバイスへ送って、休止状態の目標の通信デバイスの位置を特定することと、
休止状態の目標の通信デバイスからページ応答を受信することと、
無線インフラストラクチャによって休止状態の目標の通信デバイスへ情報を送付することと、
休止状態の目標の通信デバイスが情報を受信したという肯定応答メッセージを受信することと、
休止状態の目標の通信デバイスへ解放命令を送付し、解放命令が、休止状態の目標の通信デバイス上のタイマを取り消すように実施可能であり、それによって、休止状態の目標の通信デバイスが、無線インフラストラクチャへ情報をショートデータバースフォーマットで送付し始めることができるようにし、解放命令が、肯定応答メッセージの受信を肯定応答するメッセージとピギーバックされることとができる装置。
【請求項３８】
休止状態の目標の通信デバイスへ情報を送付することが、情報を、ページ応答の受信を肯定応答するメッセージとピギーバックすることをさらに含む請求項３７記載の装置。
【請求項３９】
解放命令が、休止状態の目標の通信デバイスをシステムアクセス状態からアイドル状態へ変更させるように実施可能である請求項３７記載の装置。
【請求項４０】
ショートデータバーストフォーマットのメッセージを、解放命令によって起動させられた休止状態の目標の通信デバイスから受信することをさらに含む請求項３７記載の装置。
【請求項４１】
ショートデータバーストフォーマットのメッセージが、休止状態の目標の通信デバイスのシステムアクセス状態中に生成される請求項４０記載の装置。
【請求項４２】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
無線インフラストラクチャによってページメッセージを休止状態の目標の通信デバイスへ送って、休止状態の目標の通信デバイスの位置を特定し、ページメッセージが、休止状態の目標の通信デバイス上のタイマを取り消すように実施可能な所定の構成要素をもち、それによって、休止状態の目標の通信デバイスが、無線インフラストラクチャへ情報をショートデータバースフォーマットで送付し始めることができるようにすることと、
休止状態の目標の通信デバイスからページ応答を受信することと、
無線インフラストラクチャによって休止状態の目標の通信デバイスへ情報を送付することと、
ページメッセージに基づいて休止状態の目標の通信デバイスから情報をショートデータバーストフォーマットで受信することであって、情報が、無線構造によって送られた情報の受信を肯定応答するメッセージとピギーバックされることとができる装置。
【請求項４３】
所定の構成要素が、所定のサービスオプション値を含む請求項４２記載の装置。
【請求項４４】
ページメッセージが、休止状態の目標の通信デバイスをシステムアクセス状態からアイドル状態へ変更させるように実施可能である請求項４３記載の装置。
【請求項４５】
休止状態の目標の通信デバイスからショートデータバーストフォーマットで受信される情報が、休止状態の目標の通信デバイスのシステムアクセス状態中に生成される請求項４３記載の装置。